【誤訳訂正書】
【提出日】平成24年6月11日(2012.6.11)
【誤訳訂正１】
【訂正対象書類名】明細書
【訂正対象項目名】全文
【訂正方法】変更
【訂正の内容】
【書類名】      明細書
【発明の名称】  磁気共鳴に基づく治療計画のための方法及び装置
【特許請求の範囲】
【請求項１】
放射線治療計画のための患者における組織の位置特定及び仮想シミュレーション用のシステムを制御する方法であって、
磁気共鳴画像化装置が、前記患者の三次元磁気共鳴画像ボリュームデータセットを構成するために前記患者を走査する段階、
前記磁気共鳴画像ボリュームデータセットに基づき、前記磁気共鳴画像化装置と関連する人間読み取り可能表示装置が前記患者の画像を表示する段階であり、前記画像が、選択可能な厚さを有するボリューム画像を少なくとも一つ含む、表示する段階、
ボリューム画像の厚さを選択するための手段が、実質的にリアルタイムで前記ボリューム画像の厚さを前記システムのオペレーターが選択することを可能にする段階、
第一処理手段が、前記人間読み取り可能表示装置に表示された前記患者の前記画像において前記オペレーターが標的組織を同定及び輪郭取りすることを可能にする段階、並びに、
第二処理手段が、前記標的組織の放射線治療処置のための前記患者の前記画像における少なくとも一つの放射線治療処置境界を、前記オペレーターが確定することを可能にする段階、
を含み、
患者の発散画像又は平行画像を産出する手段が前記三次元画像ボリュームデータセットに基づき前記患者の発散画像又は平行画像を産出する段階を、前記表示する段階が含むことを特徴とする方法。
【請求項２】
ボリューム画像をレンダリングする手段が前記人間読み取り可能表示装置上で前記患者のボリューム画像をレンダリングする段階を、前記表示する段階が含むことを特徴とする請求項１に記載の方法。
【請求項３】
標的組織の位置を確定するための手段が、前記患者の前記画像における前記標的組織の位置を前記オペレーターが確定することを可能にする段階、及び、標的組織のアイソセンターを見つける手段が、前記標的組織のアイソセンターを見つける段階、並びに
最適な放射線処置光線角度を確定するための手段が、前記患者の前記画像に相対する最適な放射線処置光線角度を、前記オペレーターが確定することを可能にする段階、
を更に含むことを特徴とする請求項１又は２に記載の方法。
【請求項４】
前記人間読み取り可能表示装置及びオペレーターインターフェースデバイスが、前記標的組織のボリュームを前記オペレーターが同定することを可能にする段階、並びに
標的組織の中心軌跡を計算する手段が、前記標的組織の前記同定されたボリュームに基づいて前記標的組織の概算の中心軌跡を計算する段階、
を更に含有することを特徴とする請求項１乃至３の何れか一項に記載の方法。
【請求項５】
前記人間読み取り可能表示装置が前記発散画像を表示する段階を、前記表示する段階が含むことを特徴とする請求項１に記載の方法。
【請求項６】
前記人間読み取り可能表示装置が前記平行画像を表示する段階を、前記表示段階が含むことを特徴とする請求項１に記載の方法。
【請求項７】
放射線治療計画のための患者における組織の位置特定及び仮想シミュレーション用のシステムであって、
前記患者の三次元磁気共鳴画像ボリュームデータセットを構成するために前記患者を走査するための磁気共鳴画像化装置と、
前記磁気共鳴画像ボリュームデータセットに基づき前記患者の画像を表示するための、前記磁気共鳴画像化装置と関連する人間読み取り可能表示装置であり、前記画像が、選択可能な厚さを有するボリューム画像を少なくとも一つ含む、人間読み取り可能表示装置と、
実質的にリアルタイムで前記ボリューム画像の厚さを選択するための手段と、
前記人間読み取り可能表示装置に表示される前記患者の前記画像において標的組織を同定及び輪郭取りするための第一処理手段と、
前記標的組織の放射線治療処置のための前記患者の前記画像における少なくとも一つの放射線治療処置境界を確定するための第二処理手段と、
を含み、
前記表示される患者の画像が、前記磁気共鳴画像ボリュームデータセットに基づき産出される前記患者の発散画像又は平行画像を含むことを特徴とするシステム。
【請求項８】
前記人間読み取り可能表示装置が、前記患者のボリューム画像をレンダリングするための手段を含むことを特徴とする請求項７に記載のシステム。
【請求項９】
請求項１乃至６の何れか一項に記載の方法を実行するための腫瘍学者が計画するシステム。
【発明の詳細な説明】
【０００１】
発明の背景
本発明は、放射線治療計画の技術に関し、より詳細には、ボリューム（立体）フレームレス３次元の磁気共鳴（ＭＲ）画像データを専ら使用して、軟組織腫瘍位置特定、仮想シミュレーション及び線量測定計画を実行するための方法及び装置に関する。
【０００２】
ＭＲ画像データは、主要なデータセットとして使用される。ＣＴ、核医学、超音波、及びその他のような他の理学療法によって得られるデータは、主要なＭＲ画像データと組み合わされる二次的データセットとして使用される。この場合、二次的データは、視覚化援助として使用され、主要なＭＲデータは位置特定、仮想シミュレーション及び線量測定計画のために使用される。
【０００３】
過去において、コンピュータ連動断層撮影（ＣＴ）画像は、放射線治療計画と組み合わせて使用された。ＣＴ画像データは、使用される唯一のデータセットである。しかしながら、ＣＴシミュレーションシステムにおいて、獲得された画像において軟組織腫瘍ははっきりと認識できない。したがって、かかる腫瘍において、腫瘍学者及び放射線治療計画専門家は、経験によって腫瘍の標的位置及び大きさを推測しなければいけない。骨格構造は、画像内の基準目印だけを提供する。したがって、計画中の通常の実行は後の線量測定の治療のための患者内のエリアを“誇張”することである。この方法において、放射線は確実に意図された標的を打つ。しかしながら、上記の一つの欠点は、健康な組織もまた、放射線によって無益に照射される。
【０００４】
ＣＴシミュレーションシステムを克服する改良は、所謂“レジストレーション（整合）されたＭＲを備えたＣＴ”処理若しくは単に“レジストレーション処理”によって提供される。かかる処理は、軟組織腫瘍位置特定、仮想シミュレーション及び線量測定計画のための主要なデータセットとしてＣＴ画像データを使用する。ＭＲ画像データは、視覚化援助のための二次的データセットとして使用される。
【０００５】
放射線治療計画と組み合わせる現行のレジストレーション処理の簡素化された形態は、図１及び２に示されている。かかる図に言及すると、通常、ＣＴ／ＭＲレジストレーション処理１０は、患者の画像化段階のペアによって開始される。ＣＴ画像化段階１２は、適切なＣＴ画像化装置を用い、患者において実行される。ＭＲ画像化段階１４はまた、一般的に、病院の放射線科に設置してある、適切なＭＲ画像化装置を用い、患者において実行される。レジストレーションされたＭＲを伴うＣＴ処理の一つの欠点は、しばしば、ＣＴ画像化装置はＭＲ画像化装置と比較的距離が離れて間隔が置かれていることである。一つの場所から別の場所に患者を移動させる必要性は、時間を浪費し、装置と専門スタッフのスケジュール管理を困難にする。ＣＴ画像化装置の投資及びランニングコストは、患者の治療計画への補足費用を追加する。
【０００６】
段階１６において、患者の実質的に同一のＣＴ及びＭＲ切片範囲が、合成される重なり合う画像として、若しくは図２に示されるようなそれぞれのＣＴ及びＭＲ表示装置３２及び３４で表示されるように、ＣＴデータセットは、獲得されたＭＲデータセットとレジストレーションされる。好ましくは、視覚化を援助するために、ＣＴ及びＭＲ表示３２、３４は、統合された表示ユニット３０のように並んで表現される。従来のレジストレーション処理１０は、レジストレーションされたＣＴ及びＭＲ画像を隣接する画面に、若しくは段階１８の画像の重なり合いを単一の画面に同時に表示する手段を含んでいる。
【０００７】
現行のレジストレーション処理においては次に、段階２０にて、ＭＲ画像の使用により、ＣＴ画像内で軟組織腫瘍が位置特定される。組織の位置特定段階は、主要なデータセットとしてのＣＴデータセット及び二次的なデータセットとしてのＭＲデータを使用する。二次元ＭＲスライス（切片）が、重なり合う状態で単一表示モニター上に、二次元ＣＴスライス（切片）とともに表示される場合、二次元ＣＴ画像における位置特定は、多いに促進される。図に示されているような並んだ画像表示方法を使用する従来のシステムにおいて、オペレーターは、主要な（ＣＴ）データセットでの位置特定のために、ＭＲ画像における軟組織視覚化を頼りにする。一般的には、図２に示されているように、かかる位置特定段階は、オペレーターが、マウス若しくは同等のような適切なオペレーターインターフェースコントロール（ｏｐｅｒａｔｏｒ  ｉｎｔｅｒｆａｃｅ  ｃｏｎｔｒｏｌ）を使用して、サイズ、形状及び位置を手動で調節することができる標的境界３６の選択／確定及び視覚的な表示を含んでいる。図２にさらに示されているように、標的境界３６は、ＭＲ表示３４で明らかに表示される軟組織腫瘍３８の外端をたどられる。レジストレーション段階１６及び同時表示段階１８の一部分として、ＣＴ標的境界３６´は、ＣＴ表示３２において達成される。ＭＲ標的境界のサイズ及び形状における変化と同様に、ＭＲ標的境界３６の手動／オペレーターの動きは、ＣＴ標的境界表示３６´によって“影”になる。この方法において、ＭＲ表示３４の解剖学的軟組織腫瘍３８の位置特定は、たとえ軟組織腫瘍３８がＣＴ表示３２において可視できないとしても、ＣＴ表示３２でのＣＴ標的境界３６´の対応する位置特定若しくは“区分化”を引き起こす。ＭＲ画像データは、段階２２にて廃棄される。
【０００８】
次ぎの段階２４において、標的境界３６´の仮想シミュレーションが、ＣＴ表示３２にて実行される。処置境界（ｔｒｅａｔｍｅｎｔ  ｂｏｕｎｄａｒｉｅｓ）及びビームモディファイアー（ｂｅａｍ  ｍｏｄｉｆｉｅｒｓ）は、ＣＴ表示３２での腫瘍境界３６´を用いる仮想シミュレーション中に派生される。
【０００９】
線量測定計画は、ＣＴ画像データから派生した視覚化及び位置特定パラメーターを伴うＣＴデータセットを用いて段階２６にて実行される。
【００１０】
放射線治療計画のためのレジストレーションされたＭＲを伴うＣＴ処理である従来技術の一つの主要な欠点は、時間の浪費及びＣＴ画像データを獲得する必要性に起因する費用である。上記で注意したように、本質的に、ＭＲ画像データは処理の初期において廃棄される。
【００１１】
図２に示されているように、問題をさらに悪化させることは、獲得されたＣＴ画像において軟組織腫瘍がはっきりと認識できないことである。ＣＴ画像データが唯一のデータセットを形成する従来システムの改良であるが、レジストレーションされたＭＲを伴うＣＴ処理は、放射線治療計画の基礎としてＣＴの獲得された画像及び表示を使用し続けている。ＣＴデータセットは、主要なデータセットとして使用される。図２に示されるように、しかしながら、軟組織腫瘍位置測定及び仮想シミュレーションのための本質的なデータは、ＭＲの獲得された画像及び表示に含有されている。
【００１２】
最後に、上記の注意のように、ＣＴ画像化装置とＭＲ画像化装置間の患者の移動は、レジストレーション段階１６において、頻繁に問題を引き起こす。
【００１３】
したがって、ＭＲの獲得された画像を専ら用いる軟組織腫瘍位置測定、仮想シミュレーション及び線量測定計画を可能にするための方法及び装置の必要がある。レジストレーションしたＭＲを伴うＣＴ処理の改良は、すべてのＣＴ画像データを獲得する段階をスキップすること、並びに位置特定、仮想シミュレーション、及び線量測定ＲＴＰのための発散ボリューム画像（ｄｉｖｅｒｇｅｎｔ  ｖｏｌｕｍｅ  ｉｍａｇｅ）を含むボリューム画像を産出するために専らＭＲ画像データを使用することである。
【００１４】
本発明は、上記に言及した問題等を克服する新規で改良された方法及び装置を熟考している。
【００１５】
本発明の主要な目的は、磁気共鳴画像データを専ら用いて軟組織腫瘍位置特定、仮想シミュレーション及び線量測定計画を可能にすることである。
【００１６】
本発明のさらなる目的は、軟組織腫瘍位置特定、仮想シミュレーション及び線量測定計画のための主要なデータセットとして磁気共鳴画像データを使用することである。
【００１７】
本発明の別の目的は、軟組織腫瘍位置特定、仮想シミュレーション及び線量測定計画のために獲得されたＭＲ画像データからボリューム画像を産出することである。
【００１８】
本発明のさらなる目的は、軟組織腫瘍位置特定、仮想シミュレーション及び線量測定計画のための獲得されたＭＲ画像データからの患者のボリュームの少なくとも一つの発散画像を産出することである。
【００１９】
本発明のまた、さらなる目的は、軟組織腫瘍位置特定、仮想シミュレーション及び線量測定計画のために、獲得されたＭＲ画像データから、患者のボリュームのデジタル的に再構成された“放射線写真”画像及びデジタル合成された“放射線写真”画像のうちの少なくとも一つを産出することである。
【００２０】
本発明のさらなるいっそうの目的は、リアルタイムにおいて実質上変化することができる選択可能な任意の厚さを有するボリューム画像を産出することである。
【００２１】
本発明の概要
好ましい形態において、本発明は、軟組織腫瘍位置特定、仮想シミュレーション及び線量測定計画の方法を提供する。磁気共鳴（ＭＲ）画像化装置を用いて、患者は、患者の磁気共鳴画像ボリュームデータセットを産出するために走査される。次ぎに、磁気共鳴画像ボリュームデータセットを専ら用いて、患者の画像が、獲得された磁気共鳴画像ボリュームデータセットに基づく磁気共鳴画像化装置と関連する人間読み取り可能表示装置（ｈｕｍａｎ  ｒｅａｄａｂｌｅ  ｄｉｓｐｌａｙ  ｄｅｖｉｃｅ）に表示される。人間読み取り可能表示装置に表示された患者の画像において、標的組織は確認される。最後に、標的組織の放射線治療処置における患者の画像において、少なくとも一つの放射線治療処置境界が確定される。一般的には、２０までの複数の放射線治療処置境界が腫瘍と過度の放射線に露出されない皮膚との間の健康な患者の組織の画像において選択される。
【００２２】
本発明の別の形態において、患者の仮想シミュレーションの組織位置特定方法が、放射線治療計画のために提供される。磁気共鳴画像化装置を用いて、患者は、患者の磁気共鳴画像ボリュームデータセットを産出するために走査される。次ぎに、主要なデータセットとしての磁気共鳴画像ボリュームデータを用いて、患者の画像が獲得された磁気共鳴画像ボリュームデータセットに基づく磁気共鳴画像化装置と関連する人間読み取り可能表示装置に表示される。別の画像化理学療法は、視覚化を援助するための二次的画像データとして使用される別の画像データを産出するために使用されるであろう。標的組織は、人間読み取り可能表示装置に表示される患者のＭＲ画像において確認される。少なくとも一つの放射線治療処置境界は、標的組織の放射線治療処置における患者のＭＲ画像において確定される。
【００２３】
本発明の別の形態において、システムは、放射線治療計画における患者の組織の位置特定及び仮想シミュレーションのために提供される。かかるシステムは、患者の磁気共鳴画像ボリュームデータセットを産出するために患者を走査するための磁気共鳴画像化装置を含んでいる。磁気共鳴画像化装置と関連している人間読み取り可能表示装置は、磁気共鳴画像ボリュームデータセットから派生する患者の画像を表示するために使用される。第一のプロセッサーは、人間読み取り可能表示装置に表示される患者の画像での標的組織の確定において使用するために提供される。第二のプロセッサーは、標的組織の放射線治療処置における患者の画像の放射線治療処置境界を確定するために提供される。
【００２４】
本発明のさらなる別の形態において、腫瘍学者が計画するシステムは、上記に議論された方法によって設計されて提供される。
【００２５】
本発明によれば、患者は、患者の３Ｄボリュームデータセットを生成するために、磁気共鳴画像化装置を用いて走査される。３Ｄボリュームデータセットは、多重平面の再フォーマットされた画像（ＭＰＲ）、傾斜した多重平面の再フォーマットされた画像（ＯＭＰＲ）、デジタル的に再構成された“放射線写真”（ＤＲＲ）及びデジタル合成された“放射線写真”（ＤＣＲ）のうち一つに変形される。
【００２６】
本発明のより限定された態様によれば、標的組織の位置特定が、患者に相関して確定される。さらに、標的組織の中心が確認される。さらに、放射線治療処置境界が、患者の第一エリアに相関する最適な放射線処置光線角度を含み確定される。
【００２７】
本発明のさらなる限定された態様によれば、走査を実行する段階以前に、複数の標準マーカーが患者に設置される。最適な放射線処置光線角度が確定された後、患者は、複数の標準マーカーに最適な放射線処置光線角度及び標的組織の位置を関連づける複数のしるしを付けられる。
【００２８】
本発明のよりいっそう限定された態様において、標的組織のボリュームが、人間読み取り可能表示装置を用いて確定される。さらに、標的組織の近似の中心軌跡が、標的組織の確定されたボリュームに基づいて計算される。
【００２９】
好ましい実施態様の詳細な記載
最初に図３に関して、単に本発明の好ましい実施例を例証する目的で、及び同じ発明を限定する目的のためではなく、示している図面に言及すると、被験者システム５０は、かかる技術における周知の種類の磁気共鳴（ＭＲ）画像化装置５２を含んでいる。示されているように、ＭＲ画像化装置５２は、環状の強磁性の磁束通路５４に関連して配置されている磁気ドライバー（ｍａｇｎｅｔ  ｄｒｉｖｅｒ）の形態の磁気起動力（ｍａｇｎｅｔｉｃ  ｍｏｔｉｖｅ  ｆｏｒｃｅ）手段を含んでいる。格納式の患者の支持体５６は、環状の強磁性の磁束通路５４によって定義されるエアーギャップ（ａｉｒ  ｇａｐ）５８内の検査される患者若しくは被験者を選択的に支持する。制御卓６０は、活性化及び測定システム及びエアーギャップ５８を横切る磁場をセットアップする適切な磁気共鳴電気を伴うハードウェア及びソフトウェアプロセッサ６２、６４を含んでいる。双極子の磁気共鳴が画像領域内に誘起され、結果として得られる磁気共鳴信号が、人間読み取り可能表示装置６６にてボリューム画像を生成するようにソフトウェアプロセッサ６２，６４によって処理される。
【００３０】
患者支持体５６は、実質的に水平板である、患者を支持する表面７０を含んでいる。好ましくは、患者を支持する表面は、実質的に台形の断面積を有するポリエチレン泡芯で覆われるビニールによって形成される。支持体を形成する物質を伴う支持体の形状は、ＭＲ画像化のために適切な所望の厳密さを提供する。８ポンドのＥＶＡポリエチレン泡物質が、最も望ましい特質を有することが分かっている。支持する表面の好ましい構成は、変形不可、非磁気、患者固定装置用のロック棒の受理能力、磁場に対する非ねじれ、及び０信号の産出である制約を含んでいる。
【００３１】
全体として、支持する表面は、水平板に、その水平板の長さに添う縦軸及び水平板を横切る垂直に横断する軸を有する。支持フレーム７２内の高さ調節手段（示されていない）は、支持する表面の高さに相対して選択的に調節する。支持する表面は、水平板に支持する表面の移動用手段を提供するために支持フレーム７２にスライドして設置される。好ましくは、適切なモータードライブ（示されていない）は、支持する表面の患者を表面に添って動かすためにフレーム７２に設置されている。
【００３２】
被験者システム５０を用いる医学的処置の期間に、患者は画像化装置５２に配置される。複数の標準マーカー７４が、患者に付される。次いで、三次元磁気共鳴ボリューム画像データセットが産出される。患者に付された複数の標準マーカー７４の位置は、データが患者の画像と関連させられるように、ボリューム計画データと組み合わされて保存される。ボリューム画像データセットは、制御卓６０のハードウェア及びソフトウェア６２，６４内のボリュームデータメモリ若しくは計画データメモリに保存される。オペレーター制御卓６０は、選択されたボリューム画像、平行ボリューム画像、発散ボリューム画像、投射画像、表面表現、及びその他の従来データ表示が、人間読み取り可能表示装置６６の計画画像表示７６上での表示のために産出されるよう、ボリューム計画画像データメモリ若しくはビデオプロセッサーを制御する。好ましくは、下記に記載のように、計画画像表示７６は、１つ以上の選択された共有の交点を通る、対応する、矢状（サジタル）の、冠状（コロナル）の、及び横断軸面（アクシャル）のスライス（切片）を含んでいる。
【００３３】
次ぎの図４に言及すると、軟組織腫瘍位置特定、仮想シミュレーション及び線量測定計画のための本発明に従った好ましい方法１１０が示されている。まず最初に、段階１１２では、ＭＲ画像化装置５２を用いて、患者は、図３で示されたシステム５０の標準マーカーを伴って画像化される。予期する処置ボリュームが、最適化されたパルスシーケンスを用いて走査される。パルスシーケンスは、病理学的な視覚化（ｐａｔｈｏｌｏｇｉｃａｌ  ｖｉｓｕａｌｉｚａｔｉｏｎ）、及び良好な骨髄画像化を提供するように適合される。加えて、パルスシーケンスは、アーチファクトの抑制及び全体の速度において最適化される。最小では、画像は、勾配ひずみに関して被験者システムで自動的に補正される。可能であれば、同様にして、画像は別の種類のひずみに関して、自動的に補正される。好ましくは、三次元磁気共鳴画像データセットは、１０分以内に獲得される。
【００３４】
三次元磁気共鳴画像データセットが獲得された後、放射線治療計画ワークステーション６０に転送され、段階１１４で、画像は人間による観察のために、計画画像表示６６上に表示される。上記で注意したように、先行技術は、オフラインで処理される固定厚さの薄い（ただし、有限である）画像の発散しない２次元範囲を使用することを試みていた。この制限は許容しがたいひずみとあいまって、技術の放棄に結びついた。したがって、好ましくは、被験者システムにおいて、ＭＲ画像は、図５に示されるような方法で表示される表現されたボリュームに変形される。さらに、患者の表現されたボリューム画像は、リアルタイムで実質的に選択可能な任意の厚さを有する。かかる表示は、人間の観察者に実質上、オンザフライで変化するように見える。
【００３５】
図４及び５を組み合わせて言及すると、軟組織腫瘍１３８は、示されている患者の写真１４０乃至１４８の各々に明らかに示されている。患者の最初の三つの写真は、獲得されたＭＲデータセットから派生され且つ三つの主患者面に整列されたボリューム平行画像を表す。より詳細には、軸面の多重平面の再フォーマットされた画像１４０、矢状の多重平面の再フォーマットされた画像１４２、及び冠状の多重平面の再フォーマットされた画像１４４が、図５に示されるように表示される。加えて、発散画像１４６が、表示装置の右上端に示される。発散画像は、デジタル合成及び／若しくは再構成された“放射線写真”画像１４６である。最後に、傾斜している多重平面の再フォーマットされた画像１４８が、表示７６の右下端に実質的に示される。
【００３６】
軟組織腫瘍は、獲得されたＭＲ画像データセットを専ら使用して、段階１１６にて位置特定される。処置アイソセンター（ｉｓｏｃｅｎｔｅｒ）が、下記の方法の少なくとも一つを用いて位置特定される。その方法は、双平面（ｂｉ−ｐｌａｎａｒ）ＤＲＲ透視検査、双平面ＤＣＲ透視検査、及び輪郭をとる計算後に使用する腫物中心軌跡計算（ｔｕｍｏｒ  ｃｅｎｔｒｏｉｄ  ｃａｌｃｕｌａｔｉｏｎ  ｕｓｉｎｇ  ｐｏｓｔ  ｃｏｎｔｏｕｒｉｎｇ  ｃａｌｃｕｌａｔｉｏｎ）である。標的境界１３６が、軟組織腫瘍１３８の周辺に描かれて、位置特定が完遂される。
【００３７】
画像を表示する段階は、実質的にリアルタイムで選択可能な任意の厚さを有する患者のボリューム画像をレンダリングすることを含んでいる。表示方法は、好ましくは、せいぜい２若しくは３秒で、変更可能である厚さを伴う患者のボリューム画像をレンダリングすることを含んでいる。かかる画像更新率は、当技術において実質上“リアル・タイム”と考えられ、人間の観察者にとって、オンザフライであるように見える。
【００３８】
次ぎの、段階１１８において、仮想シミュレーションが、獲得されたＭＲ画像データセットを専ら用いて軟組織腫瘍画像上で実行される。より詳細には、獲得されたＭＲ画像データセットが、主要なデータセットとして使用される。仮想シミュレーションは、処置境界の確定及びＤＲＲ、ＤＣＲ、ＭＰＲ、若しくはＯＭＰＲ画像上のビームモディファイアーを含んでいる。仮想シミュレーション段階１１８において、軟組織腫瘍１３８に対する最適な放射線処置光線角度が計算される。加えて、ビームモディファイヤーは、患者内のある領域が、後の放射線療法中に照射されるのを防ぐために遮られるように配置される。
【００３９】
最後に、段階１２０において、線量測定計画が、位置特定段階１１６及び仮想シミュレーション段階１１８で派生される視覚化及び位置特定パラメーターを用いて実行される。
【図面の簡単な説明】
【図１】
放射線治療計画用の従来のＣＴ及びＭＲ画像レジストレーションプロセス。
【図２】
図１の従来技術によるＭＲ画像とレジストレーションされたＣＴ画像の同時表示を示す実例である。
【図３】
本発明に従った軟組織腫瘍位置特定、仮想シミュレーション及び線量測定計画の段階を実行するための磁気共鳴画像化システムの図解的な実例である。
【図４】
本発明に従った軟組織腫瘍における位置特定、仮想シミュレーション及び線量測定計画の好ましい方法をフローチャートで例証する。
【図５】
本発明に従った軟組織腫瘍位置特定、仮想シミュレーション及び線量測定計画のための表示画面でのＭＲ画像を示す実例である。